(57)【特許請求の範囲】
【請求項１】
ブラインド（１０、３０）の遮蔽材（１４、３４）を吊下げ支持する支持部材（１２、３２）内に設けられた遮蔽材の開閉状態を変更可能な駆動手段に駆動力を伝達する伝達軸（１８）の一端部に形成された受部（１８ａ）に連結され、該駆動手段に駆動力を付与するために操作可能となったブラインド用操作具であって、
該ブラインド用操作具の上端部に、前記受部が挿通可能な開口部（２２ａ）を一部に有して形成されたフック部（２２）と、該フック部の開口部を閉塞する閉塞部材（２４）とを有しており、該閉塞部材がフック部の開口部を開放した状態と閉塞した状態との間で可動となっていることを特徴とするブラインド用操作具。
【請求項２】
前記閉塞部材（２４）は二股状となった二股部（２４ｄ）を有しており、該閉塞部材が前記開口部を閉塞した状態において、該閉塞部材の二股部が開口部の周囲を両側から挟み込むことを特徴とする請求項１記載のブラインド用操作具。
【請求項３】
前記閉塞部材は係止軸（２４ｃ）を有しており、該閉塞部材が開口部を開放した状態にあるときには、係止軸がフック部内にあり、係止軸の断面形状の寸法は、前記開口部の最小開口寸法よりも大きく設定されて、係止軸はフック部の弾性変形を利用して開口部の最小開口寸法部分を通過可能となっており、閉塞部材が開口部を閉塞した状態にあるときには、係止軸が該最小開口寸法部分を通過して、フック部の開口部に面する開口端部に保持されることを特徴とする請求項１または２記載のブラインド用操作具。
【請求項４】
前記閉塞部材は、前記フック部に回動可能に軸支されると共に、前記係止軸が最小開口寸法部分を通過するように閉塞部材が回動したときに、フック部の開口部に面する開口端部によってそれ以上の回動が阻止されることを特徴とする請求項３記載のブラインド用操作具。
【発明の詳細な説明】
【技術分野】
【０００１】
本発明は、ブラインドの遮蔽材を操作するためのブラインド用操作具に関する。
【背景技術】
【０００２】
従来、この種のブラインド用操作具としては、例えば特許文献１に記載されたものが知られている。このブラインド用操作具は、スラットの開閉及び傾度調節用回動軸に連係する回動機構の起動軸を操作する操作棒であって、その上部に掛爪を有している。この鉤状をなした掛爪は、起動軸下端に取り付けられたリングに引っ掛けられる。そして、この操作棒を捩り方向に回転することにより、起動軸を介して回動機構に回転が伝達して、スラットの開閉及び傾度調節を行うことができるようになっている。
【０００３】
【特許文献１】実開昭６２−８８０９４号公報
【発明の開示】
【発明が解決しようとする課題】
【０００４】
しかしながら、特許文献１の構成では、掛爪がリングに引っ掛けられるだけであるために、操作中に不用意に操作棒が起動軸から脱落する可能性があるという問題がある。特に、縦型ブラインドのように、操作棒を捩り方向に回転させてルーバーの回転を行うだけでなく、操作棒を左右に動かしてルーバーの展開及び畳み込みを行うブラインドに使用する場合には、操作棒を左右に傾けて押しながらまたは引きながら使用するために、操作棒の脱落の問題が顕著になる。
【０００５】
一方で、脱落しないように操作棒と起動軸とを堅く連結すると、その連結作業が複雑になる、という問題がある。
【０００６】
本発明はかかる課題に鑑みなされたもので、脱落を防ぐことができ、且つ連結も簡単に行うことができるブラインド用操作具を提供することをその目的とする。
【課題を解決するための手段】
【０００７】
前述した目的を達成するために、請求項１記載の発明は、ブラインドの遮蔽材を吊下げ支持する支持部材内に設けられた遮蔽材の開閉状態を変更可能な駆動手段に、駆動力を伝達する伝達軸の一端部に形成された受部に連結され、該駆動手段に駆動力を付与するために操作可能となったブラインド用操作具であって、
該ブラインド用操作具の上端部に、前記受部が挿通可能な開口部を一部に有して形成されたフック部と、該フック部の開口部を閉塞する閉塞部材とを有しており、該閉塞部材がフック部の開口部を開放した状態と閉塞した状態との間で可動となっていることを特徴とする。
【０００８】
請求項２記載の発明は、請求項１記載の前記閉塞部材が二股状となった二股部を有しており、該閉塞部材が前記開口部を閉塞した状態において、該閉塞部材の二股部が開口部の周囲を両側から挟み込むことを特徴とする。
【０００９】
請求項３記載の発明は、請求項１または２記載の前記閉塞部材が係止軸を有しており、該閉塞部材が開口部を開放した状態にあるときには、係止軸がフック部内にあり、係止軸の断面形状の寸法は、前記開口部の最小開口寸法よりも大きく設定されて、係止軸はフック部の弾性変形を利用して開口部の最小開口寸法部分を通過可能となっており、閉塞部材が開口部を閉塞した状態にあるときには、係止軸が該最小開口寸法部分を通過して、フック部の開口部に面する開口端部に保持されることを特徴とする。
【００１０】
請求項４記載の発明は、請求項３記載の前記閉塞部材が、前記フック部に回動可能に軸支されると共に、前記係止軸が最小開口寸法部分を通過するように閉塞部材が回動したときに、フック部の開口部に面する開口端部によってそれ以上の回動が阻止されることを特徴とする。
【発明の効果】
【００１１】
本発明によれば、閉塞部材が開口部を開放した状態と閉塞した状態との間で可動となっているので、閉塞部材が開口部を開放した状態で、受部とフック部との連結を行い、その後は、閉塞部材が開口部を閉塞することにより、フック部が受部から脱落することを防ぐことができる。よって、連結作業を簡単に行うことができ、ブラインド用操作具に操作力が作用したときなどに、ブラインド用操作具の脱落を防止することができる。
【００１２】
請求項２記載の発明によれば、二股部によって開口部の周囲を両側から挟み込むことによって、開口部の変形を防ぐことができ、フック部の強度を向上させることができる。従って、ブラインド用操作具に捩れ方向の力が作用したときでも、フック部の破損を防止することができるだけの強度を確保することができる。
【００１３】
請求項３記載の発明によれば、フック部の弾性変形を利用して係止軸が開口部の最小開口寸法部分を通過することにより、係止軸が簡単に戻ることができないようにして、閉塞状態を保持することができる。
【００１４】
請求項４記載の発明によれば、係止軸が最小開口寸法部分を通過すると、閉塞部材はフック部の開口部に面する開口端部によってそれ以上の回動が阻止されるので、閉塞状態を保持することができる。
【発明を実施するための最良の形態】
【００１５】
以下、図面を用いて本発明の実施の形態を説明する。
図１は本発明のブラインド用操作具が適用されるブラインドの全体正面図である。この例では、ブラインドとして縦型ブラインドが例示される。
【００１６】
縦型ブラインド１０は、支持部材であるヘッドレール１２内を移動可能となった図示しない複数のキャリアを有している。最も端部にあるキャリアがマスタキャリアとなっており、マスタキャリア以外のキャリアに設けられたフックに遮蔽材としてのルーバー１４が吊り下げられている。マスタキャリアを先頭として、キャリアは所定の間隔を最大限として間隔を可変に順次隣接するキャリアに連結されており、マスタキャリアによって各キャリアは被牽引可能となっている。
【００１７】
ルーバー１４の鉛直軸回りの回転動作を行わせるために、ヘッドレール１２内には、図示しない駆動軸がヘッドレール１２に沿って設けられている。キャリアは駆動軸に対して軸方向に移動可能であり、キャリアに設けられたフックはウォームギヤを介して駆動軸と連結されている。駆動軸が回転することにより、その回転がウォームギヤを介してルーバー１４を吊下げるフックに伝わり、ルーバー１４が回転することができる。
【００１８】
また、マスタキャリアには、フックではなく伝達軸１８が設けられており、伝達軸１８は、ウォームギヤを介して駆動軸と連結されている。伝達軸１８は、ヘッドレール１２及び駆動軸に対して垂直に、つまり、鉛直方向に延びており、その下端部には完全に閉じたリング１８ａが形成されている。そして、このリング１８ａに本発明のブラインド用操作具２０の上端部が着脱可能に連結される。
【００１９】
この場合、駆動軸、マスタキャリア、キャリアが駆動手段を構成する。ブラインド用操作具２０を捩る方向に回転させることによって、その回転が伝達軸１８を介して駆動軸に伝達し、ルーバー１４の鉛直軸回りの回転動作をさせることができ、また、ブラインド用操作具２０をヘッドレール１２に沿って移動させて、マスタキャリアによって他のキャリアを牽引させることによって、ヘッドレール１２の長手方向に複数のルーバー１４が広がるルーバー１４の展開動作をさせることができ、また、ブラインド用操作具２０をヘッドレール１２に沿って逆方向に移動させて、マスタキャリアによって他のキャリアを押し出すことによって、ヘッドレール１２の長手方向の一端に畳み込まれるルーバー１４の畳み込み動作をさせることができる。
【００２０】
図２に示すように、ブラインド用操作具２０は、その下端部に衝突時の緩衝効果を持たせるために軟質材料からなる軟質部２１を有し、軟質部以外は硬質材料からなっており、その上端部に、前記伝達軸１８の下端部にあるリング１８ａに係止されるための鉤状のフック部２２を有している。
【００２１】
図３及び図４に示すように、鉤状のフック部２２は、その一部にのみ開口部２２ａが形成された略Ｃ形状をなしているが、略Ｃ形状以外の任意の形状とすることが可能である。この開口部２２ａに近接して、略Ｃ形状のフック部２２のほぼ円弧状を描く内周面には、軸受凹部２２ｂが形成されている。開口部２２ａは、その入口２２ｃの間隔が最も狭くなっており、また、フック部２２の開口部２２ａに面する下側開口端部は、下方に向かうに従って軸受凹部２２ｂから遠ざかるような傾斜面２２ｄとなっている。そして、軸受凹部２２ｂには、閉塞部材である閉塞レバー２４の基部が回動可能に軸支される。
【００２２】
即ち、閉塞レバー２４は、一対の側板２４ａ、２４ａと、これらの側板２４ａ、２４ａに直交し２つの側板２４ａ、２４ａを繋ぐ２つの基軸２４ｂ、係止軸２４ｃとから構成される。側板２４ａ、２４ａは、係止軸２４ｃよりも先端側に延びており、この延びた部分が二股状となった二股部２４ｄを構成する。そして、基軸２４ｂが前記軸受凹部２２ｂに回動可能にはまり込んでいる。
【００２３】
基軸２４ｂを中心として、閉塞レバー２４が回動したときに、係止軸２４ｃは、前記フック部２２の開口部２２ａ内に挿入することができる寸法となっている。より詳細には、係止軸２４ｃの円形軸断面の直径は、開口部２２ａの入口２２ｃ部分の最小開口幅よりも若干大きくなっており、従って、係止軸２４ｃは、フック部２２を多少弾性変形させながら、入口２２ｃを通過することができるようになっている。また、係止軸２４ｃの長さは、フック部２２の厚みにほぼ等しくなっている。
【００２４】
以上のように構成されるブラインド用操作具２０において、その伝達軸１８に取り付ける作業を行うときには、図５に示すように、閉塞レバー２４の係止軸２４ｃを、開口部２２ａとは反対側のフック部２２の内周面に当接するような位置に配置する。このとき、一対の側板２４ａ、２４ａから構成される二股部２４ｄが、フック部２２を挟むことで、閉塞レバー２４が不用意に動かないようにすることができて、開口部２２ａを開放した状態を保持することができる。この状態で、開口部２２ａに伝達軸１８のリング１８ａを通過させる。次いで、閉塞レバー２４を基軸２４ｂを中心として回動させて、係止軸２４ｃに、フック部２２を弾性変形させながら、開口部２２ａの入口２２ｃを通過させる。係止軸２４ｃが入口２２ｃを通過すると、フック部２２の弾性復元力により、係止軸２４ｃは開口部２２ａに面する上側開口端部と下側開口端部に挟持されて停止する（図６）。こうして、係止軸２４ｃは開口部２２ａを閉塞する。このとき、開口部２２ａの下側開口端部である傾斜面２２ｄは、係止軸２４ｃに当接し、閉塞レバー２４のそれ以上の回動を阻止するために、係止軸２４ｃは停止位置に保持されて、開口部２２ａを閉塞する状態に保持される。また、二股部２４ｄは、フック部２２の開口部２２ａの周囲を両側から挟み込む。
【００２５】
こうして、開口部２２ａが確実に閉塞されるので、ブラインド用操作具２０を捩り方向に回転、または左右に傾けて押しながらまたは引きながら左右に移動させたときにも、伝達軸１８からブラインド用操作具２０が不用意に脱落することを防ぐことができる。
【００２６】
また、この閉塞状態において、二股部２４ｄが開口部２２ａの周囲を両側から挟み込むことで、ブラインド用操作具２０に捩り方向の力が作用したときにもフック部２２の変形を阻止して、開口部２２ａ付近の強度を確保することができ、フック部の破損を防止することができる。
【００２７】
このように、伝達軸１８に連結するための構成としてフック部２２と閉塞レバー２４だけで構成することができ、その際に、バネといった弾性部材は不要であり、フック部２２の素材の持つ弾性力を利用するだけであるので、安価で堅牢に構成することができる。
【００２８】
以上は縦型ブラインドに使用されるブラインド用操作具２０について例をとって説明した。この縦型ブラインドでは、回転のみならず、左右方向への移動といった操作があるために、本発明は特に有効であるが、これに限るものではなく、例えば、図７に示すような、横型ブラインドの操作具として使用することも可能である。横型ブラインド３０においては、支持部材であるヘッドボックス３２から遮蔽材である多数のスラット３４がラダーコード３６によって整列状態で吊り下げ支持されている。ヘッドボックス３２内に収容された不図示のスラット回転機構が駆動手段を構成する。このスラット回転機構に駆動力を伝達する伝達軸１８がヘッドボックス３２から垂下されており、伝達軸１８に連結され、スラット３４を回転させるための操作具として、本発明のブラインド用操作具２０を適用することができる。ブラインド用操作具２０を捩り方向に回転させることによって、伝達軸１８を介してスラット回転機構に回転が伝達し、ラダーコード３６が傾動することで、スラット３４が回転動作を行う。
【図面の簡単な説明】
【００２９】
【図１】本発明のブラインド用操作具が適用されるブラインドとしての縦型ブラインドの全体正面図である。
【図２】本発明のブラインド用操作具の全体正面図である。
【図３】本発明のブラインド用操作具と伝達軸との要部斜視図である。
【図４】本発明のブラインド用操作具の分解斜視図である。
【図５】本発明のブラインド用操作具の開放状態における（ａ）斜視図、（ｂ）正面図、（ｃ）左側面図である。
【図６】本発明のブラインド用操作具の閉塞状態における（ａ）斜視図、（ｂ）正面図、（ｃ）左側面図である。
【図７】本発明のブラインド用操作具が適用されるブラインドとしての横型ブラインドの全体正面図である。
【符号の説明】
【００３０】
１０、３０  ブラインド
１２  ヘッドレール（支持部材）
１４  ルーバー（遮蔽材）
１８  伝達軸
１８ａ  リング（受部）
２０  ブラインド用操作具
２２  フック部
２２ａ  開口部
２２ｃ  入口
２４  閉塞レバー（閉塞部材）
２４ｃ  係止軸
２４ｄ  二股部
３２  ヘッドボックス（支持部材）
３４  スラット（遮蔽材）
【図１】
0004975657.tif 000002
【図２】
0004975657.tif 000003
【図３】
0004975657.tif 000004
【図４】
0004975657.tif 000005
【図５】
0004975657.tif 000006
【図６】
0004975657.tif 000007
【図７】
0004975657.tif 000008